【手続補正書】
【提出日】平成17年2月14日(2005.2.14)
【手続補正１】
【補正対象書類名】明細書
【補正対象項目名】全文
【補正方法】変更
【補正の内容】
【書類名】  明細書
【発明の名称】  段ボールシートの折り線付け装置
【特許請求の範囲】
【請求項１】
段ボールシートを一対のロール間に通して、ロールの周方向の全周に亘って形成された突条によって該段ボールシートの両面に製筺のための折り線を施す装置であって、両方のロールの対向位置に突条が形成され、両突条の段ボールシートに食い込む部分の断面形状が近似している段ボールシートの折り線付け装置。
【請求項２】
一方のロールの突条は金属にて形成され、他方のロールの突条は合成樹脂にて形成されている請求項１に記載の段ボールシートの折り線付け装置。
【請求項３】
表面に突条が一体に形成された合成樹脂製帯状基材がロール上に接着されている請求項１又は２に記載の段ボールシートの折り線付け装置。
【請求項４】
請求項１乃至３の何れかに記載の折り線付け装置のロール間に段ボールシートを通して、段ボールシートの両面に夫々該ダンボールシートの厚みの１／２以下の深さの折り線を施す、段ボールシートの折り線付け方法。
【請求項５】
製筺用の折り線が施された段ボールシートにおいて、段ボールシートの表裏両面の同じ位置に折り線が施され、夫々の折り線は、ダンボールシートの厚みの１／２以下の深さである段ボールシート。
【発明の詳細な説明】
【０００１】
【発明の属する分野】
本発明は、段ボールシートにて筺を形成するに際し、該シートに折り曲げ用の溝条罫線(以下、折り線と呼ぶ)を施す装置に関するものである。
【０００２】
【従来の技術】
図１は段ボール筺組立用の筺ブランク(１)を示している。該筺ブランク(１)は、４つの連続した側板(11)と各側板(11)の上下に連接した蓋フラップ(12)及び底フラップ(13)と、一端の側板(11)に連接した糊付け用フラップ(14)とから成る。
【０００３】
隣合う蓋フラップ(12)(12)間及び底フラップ(13)(13)間にスリット(15)が開設されている。隣合う側板(11)(11)間及び側板(11)と糊付けフラップ(14)との間には縦折り線(16)(16a)が施され、各側板(11)と蓋フラップ(12)及び底フラップ(13)との間に横折り線(17)(17)が施されている。
【０００４】
上記筺ブランク(１)は、スリッタスコアラによって、段ボールシートを所定の大きさに切断すると共に、該段ボールシートの波状中芯(19)の山条に直交する方向に横折り線(17)を施し、次にプリンタースロッタによって、スリット(15)及び縦折り線(16)が形成される。
【０００５】
図４に示す如く、プリンタースロッタには縦折り線(16)を形成するための上下一対のロール(２)(３)が配備され、一方のロール(２)に取り付けられた割メタル(22)の全周に突条(21)が形成され、他方のロール(３)に該突条(21)との対応位置にウレタンゴム製の受けリング(30)が装着されている。
【０００６】
両ロール(３)(２)を互いに逆回転させて、ロール(２)(３)間に段ボールシートを通過させ、突条(21)によって段ボールシートを押圧して、該シートの波型中芯(19)の山条に沿う方向に溝状に凹ませて縦折り線(16)となしている。
【０００７】
【発明が解決しようとする課題】
上記縦折り線(16)の形成方法であれば、図４、図５に示す如く、一対のロール(２)(３)の内、一方のロール(２)の突条(21)のみで段ボールシートが押し潰され、反対側面はフラットのままである。しかも、一方のロール(２)の突条(21)のみで段ボールシートに縦折り線(16)を施すために、該突条(21)を段ボールシートに深く食い込まさねばならない。
【０００８】
段ボールシート(18)のライナー(18)に対する突条(21)の深い食い込みによっても、ライナー(18)が破損しないためには、ライナー(18)は突条(21)の最大幅Ｘ1よりも相当幅広く変形せねばならない。従って縦折り線(16)の幅Ｘ2が広くなり、縦折り線(16)がはっきりしなくなる。
【０００９】
筺ブランク(１)を筺に組み立てるには、図１の矢印Ａで示す様に、糊付け用フラップ(14)を内側に折り畳んだとき、該糊付け用フラップ(14)の外側となる面に糊を塗布し、次に、該糊付け用フラップ(14)を内側に折り畳む。矢印Ｂで示す様に、側板列の中央部の縦折り線(16a)から筺ブランク(１)を２つ折りにして折り畳み端部を糊付け用フラップ(14)に重ねて接着する。
【００１０】
上記の糊付け作業及び折り畳み作業は、フォルダーグルアによって自動的に行われるが、前記の様に、従来の段ボールシートの縦折り線(16)は段ボールシートの一方の面だけに施され、しかも該縦折り線(16)は幅が広くて、はっきりしないため、本来の縦折り線(16)の位置からずれて或いは曲がった状態で折り込まれ、図６に示す如く、側板列を２つ折りした時に、筺ブランク(１)の角部(10)(10)がきっちりと重ならず、ずれた状態に重なってしまう。
上記糊付けした筺ブランク(１)を筺に組み立てると、いびつな筺となり商品価値を低下させる。
【００１１】
本発明は、段ボールシートの両面から段ボールシートを溝状に押圧して縦折り線を施すことにより、前記問題を解決できる段ボールシートの折り線付け装置を明らかにするものである。
【００１２】
【課題を解決する手段】
請求項１は、段ボールシートを一対のロール(２)(３)間に通して、ロール(２)(３)の周方向の全周に亘って形成された突条(21)(31)によって該段ボールシートの両面に製筺のための折り線を施す装置であって、両方のロール(２)(３)の対向位置に突条が形成され、両突条(21)(31)の段ボールシートに食い込む部分の断面形状が近似している。
請求項２は、一方のロール(２)の突条(21)は金属にて形成され、他方のロール(３)の突条(31)は合成樹脂にて形成されている請求項１に記載の段ボールシートの折り線付け装置。
請求項３は、表面に突条が一体に形成された合成樹脂製帯状基材(32)がロール上に接着されている請求項１又は２に記載の段ボールシートの折り線付け装置。
請求項４は、請求項１乃至３の何れかに記載の折り線付け装置のロール(２)(３)間に段ボールシートを通して、段ボールシートの両面に夫々該ダンボールシートの厚みの１／２以下の深さの折り線を施す、段ボールシートの折り線付け方法。
請求項５は、製筺用の折り線が施された段ボールシートにおいて、段ボールシートの表裏両面の同じ位置に折り線が施され、夫々の折り線は、ダンボールシートの厚みの１／２以下の深さである段ボールシート。
【００１３】
【作用及び効果】
図２に示す如く、ロール(２)(３)間を段ボールシートが通過するとき、両ロール(２)(３)の突条(21)(31)によって、該シートの両面の対応部分が溝状に押し潰される。
【００１４】
又、段ボールシートの両面から突条(21)(31)を食い込ませることにより、従来の様に、段ボールシートの片面に突条(21)を食い込ませる場合に較べて、突条(21)の食い込み量を１／２以下とすることができる。従って、段ボールシートのライナー(18)の押圧による変形幅も小さくて済み、即ち、縦折り線(16)の溝幅Ｘ3は狭くなる。
【００１５】
上記の如く、段ボールシートの両面から縦折り線(16)が凹み形成され、然も、該縦折り線(16)の幅は狭くてはっきりするため、フォルダーグルアによって、自動的に糊付け及び折り畳みが成される際、図３に示す如く、筺ブランク(１)の角部(10)のずれを無視できる程度に小さくでき、従って、安定して精度の良い直方体の筺を組み立てることができる。
【００１６】
【発明の実施の形態】
図２は、本発明の折り線付け装置によって、筺ブランク(１)となる段ボールシートに縦折り線(16)を施す状態を示している。
実施例の段ボールシートは、２枚のライナー(18)の間に波状中芯(19)を張り合わせた両面段ボールシートであるがこれに限定されることはなく、片面段ボールシート、複両面段ボールシート、複々両面段ボールシートにも実施可能である。
【００１７】
折り線付け装置は、対を成す下ロール(２)と上ロール(３)上に、両ロール間を通過する段ボールシートに縦折り線(16)を施す位置に対応して、ロール(２)(３)を一周して突条(21)(31)を設けている。
【００１８】
下ロール(２)の突条(21)は、下ロール(２)に締付け固定されるリング状の割メタル(22)上に該割メタル(22)と一体に形成されている。
上ロール(３)の突条(31)は、上ロール(３)に締付け固定されるリング状の割メタル(33)上に接着固定される硬質合成樹脂製帯状基材(32)と一体に成形されている。
従って、実施例では下ロール(２)上の突条(21)は金属にて形成され、上ロール(３)上の突条(31)は硬質合成樹脂にて形成されている。
【００１９】
上記の様に、突条(31)を一体成形した合成樹脂製帯状基材(32)をロールに貼付して、ロールに突条を設ける方法であれば、既存のロールにも簡単に突条(31)を施すことができる利点があるが、下ロール(２)と同様にして、上ロール(３)上の割メタル(33)に突条(31)を一体に形成することができるのは勿論である。
【００２０】
下ロール(２)及び上ロール(３)の突条(21)(31)は、共に断面略台形を呈し、上底幅は約１mm、下底幅は約１.５mm、高さ約１mmである。
両ローラ(２)(３)の突条(21)(31)間のクリアランスは、段ボールシートの種類厚みによって最適に調整すればよいが、段ボールシートの厚みが５mm、３mm、８mmの場合で、該クリアランスは夫々０.３mm、０.２mm、０.５mmを目安とすればよい。
【００２１】
然して、図２に示す如く、ロール(２)(３)間を段ボールシートが通過するとき、両ロール(２)(３)の突条(21)(31)によって、該シートの両面の対応部分が溝状に押し潰される。
【００２２】
又、段ボールシートの両面から突条(21)(31)を食い込ませることにより、従来の様に、段ボールシートの片面に突条(21)を食い込ませる場合に較べて、突条(21)の食い込み量を、１／２以下とすることができる。従って、段ボールシートのライナー(18)の変形幅も小さくて済む。
【００２３】
上記の如く、段ボールシートの両面から縦折り線(16)が凹み形成され、然も、該縦折り線(16)の溝幅Ｘ3は狭くてはっきりするため、フォルダーグルアによって、自動的に糊付け及び折り畳みが成される際、図３に示す如く、筺ブランク(１)の角部の重なりのずれは無視出来る程度に小さくなり、従って、安定して精度の良い直方体の筺を組み立てることができる。
本発明は、上記実施例の構成に限定されることはなく、特許請求の範囲に記載の範囲で種々の変形が可能である。
【図面の簡単な説明】
【図１】
筺ブランクの正面図である。
【図２】
段ボールシートの両面から折り線を施す状態の断面図である。
【図３】
筺ブランクが正しく折り畳まれた状態の正面図である。
【図４】
従来の段ボールシートへの折り線を施す状態の断面図である。
【図５】
同上の要部拡大断面図である。
【図６】
筺ブランクが不正確に折り畳まれた状態の正面図である。
【符号の説明】
(１)  筺ブランク
(16)  縦折り線
(18)  ライナー
(19)  中芯
(２)  下ロール
(21)  突条
(３)  上ロール
(31)  突条